(57)【要約】【課題】無線通信システムで遊休モードへの切替を制御する様々な方法を提供する。【解決手段】移動端末（ＭＳ）が基地局（ＢＳ）から登録を解除し、遊休モードを始めるように要請する第１動作コード（ａｃｔｉｏｎ  ｃｏｄｅ）を含む第１メッセージを基地局から受信する段階と、もし移動端末がアップリンクデータを持っていると、基地局から遊休モード開始要請を拒絶する第２動作コードを含む第２メッセージを転送する段階と、を含む構成とした。【選択図】図７
2009540660.tif 000002
【特許請求の範囲】
【請求項１】
無線通信システムで遊休モードへの切替を制御する方法において、
移動端末（ＭＳ）が、基地局（ＢＳ）から登録を解除し、遊休モードを始めるように要請する第１動作コード（ａｃｔｉｏｎ  ｃｏｄｅ）を含む第１メッセージを前記基地局から受信する段階と、
もし前記移動端末がアップリンクデータを持っていると、前記基地局からの遊休モード開始要請を拒絶する第２動作コードを含む第２メッセージを転送する段階と、
を含むことを特徴とする遊休モード切替制御方法。
【請求項２】
前記移動端末が正常動作を行うように要請する第３動作コードを含む前記第１メッセージを受信する段階と、
前記基地局に前記アップリンクデータを転送する段階と、
をさらに含むことを特徴とする、請求項１に記載の遊休モード切替制御方法。
【請求項３】
前記第３動作コードを含む前記第１メッセージは、前記第２メッセージに対する応答であることを特徴とする、請求項２に記載の遊休モード切替制御方法。
【請求項４】
前記第１メッセージは、要請されていない（ｕｎ−ｓｏｌｉｃｉｔｅｄ）メッセージであることを特徴とする、請求項１に記載の遊休モード切替制御方法。
【請求項５】
前記第１メッセージは、前記基地局が前記移動端末の連結情報を維持する時間周期情報をさらに含むことを特徴とする、請求項１に記載の遊休モード切替制御方法。
【請求項６】
前記第１メッセージは、前記基地局が前記移動端末の連結情報を維持する期間（ｄｕｒａｔｉｏｎ）を表す管理資源維持タイマーをさらに含むことを特徴とする、請求項１に記載の遊休モード切替制御方法。
【請求項７】
前記第１動作コード及び前記第２動作コードはそれぞれ８ビットで表すことを特徴とする、請求項１に記載の遊休モード切替制御方法。
【請求項８】
前記第１メッセージは、登録解除命令（ＤＲＥＧ−ＣＭＤ）メッセージであることを特徴とする、請求項１に記載の遊休モード切替制御方法。
【請求項９】
前記第２メッセージは、登録解除要請（ＤＲＥＧ−ＲＥＱ）メッセージであることを特徴とする、請求項１に記載の遊休モード切替制御方法。
【請求項１０】
前記第１メッセージは、パラメータをさらに含むことを特徴とする、請求項１に記載の遊休モード切替制御方法。
【請求項１１】
無線通信システムで遊休モードへの切替を制御する方法において、
移動端末が遊休モードを始めるように要請する第１動作コード（Ａｃｔｉｏｎ  Ｃｏｄｅ）を含む第１メッセージを前記移動端末に転送する段階と、
前記移動端末の連結情報を維持するためのタイマーを動作させる段階と、
基地局の遊休モード開始要請を拒絶する第２動作コードを含む第２メッセージを前記移動端末から受信する段階と、
前記移動端末の前記連結情報を維持し、前記タイマーを停止する段階と、
を含むことを特徴とする遊休モード切替制御方法。
【請求項１２】
前記移動端末が正常動作を行うように要請する第３動作コードを含む前記第１メッセージを前記移動端末に転送する段階と、
前記移動端末からアップリンクデータを受信する段階と、
をさらに含む、請求項１１に記載の遊休モード切替制御方法。
【請求項１３】
前記第３動作コードを含む前記第１メッセージは、前記第２メッセージに対する応答であることを特徴とする、請求項１２に記載の遊休モード切替制御方法。
【請求項１４】
前記第１メッセージは、要請されていない（Ｕｎ−ｓｏｌｉｃｉｔｅｄ）メッセージであることを特徴とする、請求項１１に記載の遊休モード切替制御方法。
【請求項１５】
前記第１メッセージは、登録解除命令（ＤＲＥＧ−ＣＭＤ）メッセージであることを特徴とする、請求項１１に記載の遊休モード切替制御方法。
【請求項１６】
前記第２メッセージは、登録解除要請（ＤＲＥＧ−ＲＥＱ）メッセージであることを特徴とする、請求項１１に記載の遊休モード切替制御方法。
【請求項１７】
移動端末において、
基地局（ＢＳ）から前記移動端末が登録を解除し、遊休モードを始めるように要請する第１動作コード（ａｃｔｉｏｎ  ｃｏｄｅ）を含む第１メッセージを前記基地局から受信し、遊休モード開始要請を拒絶する第２動作コードを含む第２メッセージを前記基地局に転送する少なくとも一つのアンテナと、
前記基地局に転送されるアップリンクデータの有無を判定するマイクロプロセッサと、
を含むことを特徴とする移動端末。
【請求項１８】
前記少なくとも一つのアンテナは、
前記移動端末が正常動作を行うように要請する第３動作コードを含む前記第１メッセージを受信し、
前記アップリンクデータを前記基地局に転送するために使われることを特徴とする、請求項１７に記載の移動端末。
【請求項１９】
前記第１メッセージは、前記基地局が前記移動端末の連結情報を維持する時間周期情報をさらに含むことを特徴とする、請求項１７に記載の移動端末。
【請求項２０】
前記第１メッセージは、登録解除命令メッセージであることを特徴とする、請求項１７に記載の移動端末。
【請求項２１】
前記第２メッセージは、登録解除要請メッセージであることを特徴とする、請求項１７に記載の移動端末。
【発明の詳細な説明】
【技術分野】
【０００１】
本発明は、広帯域無線接続システム（Ｂｒｏａｄｂａｎｄ  Ｗｉｒｅｌｅｓｓ  Ａｃｃｅｓｓ  Ｓｙｓｔｅｍ）に関するもので、より具体的には、広帯域無線接続システムで移動端末（ＭＳ：Ｍｏｂｉｌｅ  Ｓｔａｔｉｏｎ）の遊休モード（Ｉｄｌｅ  Ｍｏｄｅ）切替制御方法に関する。
【背景技術】
【０００２】
一般に、広帯域無線接続システムでは、移動端末の電力消耗を低減するために遊休モードを支援する。すなわち、遊休モードの移動端末は、特定基地局に登録されていない状態で、複数の基地局領域からなるページング領域（Ｐａｇｉｎｇ  Ｚｏｎｅ）内で基地局間移動時にハンドオーバーを行わなくてもダウンリンクデータが存在するかを、基地局からページング（ＭＯＢ＿ＰＡＧ−ＡＤＶ）メッセージを受信することによって周期的に点検できるようにすることによって、移動端末の電力消耗を最小化している。しかし、移動端末が遊休モードに切り替わる過程でアップリンクまたはダウンリンクトラフィックの発生などによって基地局が移動端末の遊休モード切替要請を拒絶したり移動端末の遊休モード切替を取り消さなければならない場合があるにもかかわらず、これに対する明確な手順が定義されていない問題点がある。
【０００３】
また、移動端末の移動性と移動端末がおられる様々な状態またはモード（ｍｏｄｅ）において、移動端末はその資源を效率的に利用することが重要である。特に、移動端末はその使用電力を効率的に管理することが重要である。これと同時に、移動端末はその機能を效率的に行うことも重要である。すなわち、移動端末は、基地局（または、ネットワーク）と通信及び接続を効果的で效率的に維持することが重要である。
【発明の概要】
【発明が解決しようとする課題】
【０００４】
移動端末が遊休モードに切り替わる過程でアップリンクトラフィックまたはダウンリンクトラフィックが発生すると、基地局またはネットワークは移動端末の遊休モード切替要請を拒絶したり移動端末の遊休モード切替を取り消す必要がある。しかし、移動端末の遊休モード切替の拒絶または取消に対する明確な手順が定義されていない現状である。
【０００５】
したがって、本発明は、従来技術における制限及び不利な点による一つ以上の問題点を実質的に解決するために考案されたもので、移動端末の遊休モード切替を制御する様々な方法に関する。
【０００６】
本発明の目的は、無線通信システムで遊休モードへの進入を制御する方法を提供することにある。
【０００７】
本発明の他の目的は、本発明の技術的思想を反映する移動端末を提供することにある。特に，本発明の目的は、移動端末の遊休モード切替過程でアップリンク／ダウンリンクトラフィック発生によって正常動作状態への切替が必要な場合、移動端末が正常動作状態に迅速に切り替わる方法を提供することにある。
【０００８】
本発明の追加的な利点、目的、及び特徴は、部分的には以下の詳細な説明を通じて展開され、部分的には以下の詳細な説明から当該技術分野における通常の技術を持つ者に明らかになり、または、本発明の実施から学ぶことができる。本発明の目的及び利点は、添付した図面の他、下記の詳細な説明及び請求項によって詳細に指摘された構成により得られ、具体化されることができる。
【課題を解決するための手段】
【０００９】
上記のまたは他の利点を得るための本発明の一実施例として無線通信システムで遊休モードへの切替を制御する方法は、移動端末（ＭＳ）が、基地局（ＢＳ）から登録を解除し、遊休モードを始めるように要請する第１動作コード（ａｃｔｉｏｎ  ｃｏｄｅ）を含む第１メッセージを当該基地局から受信する段階と、もし、移動端末がアップリンクデータを持っていると、基地局から遊休モード開始要請を拒絶する第２動作コードを含む第２メッセージを転送する段階と、を含むことができる。
【００１０】
本発明の他の実施例として無線通信システムで遊休モードへの切替を制御する方法は、基地局が、遊休モードを始めるように要請する第１動作コードを含む第１メッセージを移動端末に転送する段階と、基地局が、端末と連結情報を維持するためのタイマーを動作させる段階と、移動端末から、基地局の遊休モード切替要請を拒絶する第２動作コードを含む第２メッセージを受信する段階と、移動端末との連結情報を維持し、タイマーを停止する段階と、を含むことができる。
【００１１】
本発明のさらに他の実施例として無線通信システムで遊休モードを制御できる移動端末は、基地局（ＢＳ）から移動端末が登録を解除して遊休モードを始めるように要請する第１動作コードを含む第１メッセージを基地局から受信し、遊休モード開始要請を拒絶する第２動作コードを含む第２メッセージを基地局に転送する少なくとも一つのアンテナと、基地局に転送されるアップリンクデータの有無を判定するためのマイクロプロセッサと、を含むことができる。
【発明の効果】
【００１２】
前述した点と、本発明の他の目的、特徴、様相そして利点は、添付の図面の他にも下記の本発明の詳細な説明からより明確になることができる。上記した一般的な説明と下記の本発明の詳細な説明はいずれも、例示的で説明的なものであり、請求された発明についての追加的な説明を提供することができる。
【００１３】
本発明の実施例によれば、基地局が移動端末の遊休モード切替要請を拒絶するための方法と移動端末の遊休モード切替を取消できる方法を提供することによって、移動端末の遊休モード切替過程でアップリンク／ダウンリンクトラフィック発生によって正常動作状態への切替が必要な場合に、移動端末が正常動作状態へと迅速に切り替わるようにする効果がある。
【図面の簡単な説明】
【００１４】
【図１】遊休モードを支援する多数の基地局からなるページンググループ（ｐａｇｉｎｇ  ｇｒｏｕｐ）で構成されたページング領域を例示する図である。
【図２】移動端末の遊休モード切替時の手順を例示する図である。
【図３】移動端末の遊休モード切替要請を基地局が拒絶する一実施例を示す図である。
【図４】移動端末の遊休モード切替要請を基地局が拒絶する他の実施例を示す図である。
【図５】移動端末の遊休モード切替要請を基地局が拒絶するさらに他の実施例を示す図である。
【図６】移動端末が基地局に遊休モードへの切替を要請した場合に、移動端末が遊休モード切替要請を取り消す一実施例を示す図である。
【図７】基地局の遊休モード切替要請を移動端末が拒絶する一実施例を示す図である。
【図８】基地局が、移動端末が遊休モードに切り替わるように命令する管理メッセージを転送した後に、これを取り消す一実施例を示す図である。
【図９】移動端末の一実施例を示す図である。
【発明を実施するための形態】
【００１５】
以下、添付の図面を参照しつつ、本発明の好適な実施例について詳細に説明する。図面中、同一の構成要素には可能な限り同一の参照番号を付する。
【００１６】
図１は、遊休モードを支援する多数の基地局からなるページンググループ（ｐａｇｉｎｇ  ｇｒｏｕｐ）で構成されたページング領域を例示する図である。
【００１７】
移動端末が遊休モードに切り替わる過程について具体的に説明すると、下記の通りである。
【００１８】
移動端末が遊休モードに切り替わるためには下記の表１の登録解除要請（ＤＲＥＧ＿ＲＥＱ）メッセージを使用する。表２は、表１中の‘ＴＬＶ  ｅｎｃｏｄｅｄ  ｐａｒａｍｅｔｅｒｓ’フィールドのフォーマットを説明するものである。
【００１９】
【表１】
2009540660.tif 000003
【００２０】
【表２】
2009540660.tif 000004
移動端末は、登録解除要請メッセージの登録解除要請コード（Ｄｅ−ｒｅｇｉｓｔｒａｔｉｏｎ  Ｒｅｑｕｅｓｔ  Ｃｏｄｅ）を０ｘ０１と設定して基地局に伝達することによって自分の遊休モードへの切替を要請することができる。この時、望むページング周期、及び遊休モードへの切替後に基地局が維持したがる移動端末の管理資源情報を基地局に伝達することができる。
【００２１】
登録解除要請メッセージを受信した基地局は、表３の登録解除命令（ＤＲＥＧ＿ＣＭＤ）メッセージを通じて移動端末の遊休モード切替要請に応答することができる。
【００２２】
【表３】
2009540660.tif 000005
基地局は登録解除命令（ＤＲＥＧ＿ＣＭＤ）メッセージの動作コード（Ａｃｔｉｏｎ  Ｃｏｄｅ）を通じて遊休モードへの切替を許容したり（Ａｃｔｉｏｎ  Ｃｏｄｅ：‘０５’）、一定時間後に遊休モードへの切替を再び要請するようにしたり（Ａｃｔｉｏｎ  Ｃｏｄｅ：‘０６’）、自分が登録解除命令メッセージを転送するまでそれ以上遊休モードへの切替を要請しないようにすることができる（Ａｃｔｉｏｎ  Ｃｏｄｅ：‘０７’）。
【００２３】
表４には、この登録解除命令メッセージの動作コード及び各動作コードが指示する移動端末の動作（ａｃｔｉｏｎ）を示す。
【００２４】
【表４】
2009540660.tif 000006
基地局は、登録解除命令メッセージに選択的に含まれうるＴＬＶ（Ｔｙｐｅ  Ｌｅｎｇｔｈ  Ｖａｌｕｅ）項目を通じて該当の端末が遊休モード中に維持しなければならないページンググループＩＤ（Ｐａｇｉｎｇ  Ｇｒｏｕｐ  ＩＤ）、ページング周期（Ｐａｇｉｎｇ＿Ｃｙｃｌｅ）、そしてページングオフセット（Ｐａｇｉｎｇ＿Ｏｆｆｓｅｔ）値を伝達することができる。
【００２５】
表５は、登録解除命令メッセージにＴＬＶパラメータとして含まれるページング情報と移動端末の遊休モードへの切替後に基地局により維持される移動端末の管理資源情報及びページング制御局識別子などを表す。移動端末が遊休モードに切り替わる時に基地局により維持される情報は、以降該当の遊休モード端末が遊休モードを終了したり、位置更新手順を行ったりする場合、ネットワーク登録手順過程において該当の情報を獲得するための手順を省略できるようにすることによって、移動端末の迅速なネットワーク登録及び位置更新を可能にする。
【００２６】
【表５】
2009540660.tif 000007
その後、移動端末は、下記の表６のページング放送（ＭＯＢ−ＰＡＧ−ＡＤＶ）メッセージを定められたページング周期とページングオフセットに受信することによって遊休モードを維持したり、遊休モードを終了することができる。
【００２７】
【表６】
2009540660.tif 000008
図２は、移動端末の遊休モード切替時の手順を示す図である。
【００２８】
図２を参照すると、移動端末は、基地局に‘０１’と設定された動作コード（ａｃｔｉｏｎ  ｃｏｄｅ）を含む登録解除要請メッセージ（ＤＲＥＧ−ＲＥＱ）を伝達することによって移動端末の遊休モード切替を要請することができる［Ｓ２１］。
【００２９】
移動端末から登録解除要請メッセージを受信した基地局は、自身のページンググループＩＤ（Ｐａｇｉｎｇ  Ｇｒｏｕｐ  ＩＤ）とそれによるページング周期とページングオフセットが含まれ、動作コードが‘０５’と設定された登録解除命令メッセージ（ＤＲＥＧ−ＣＭＤ）を当該移動端末に伝達することによって、移動端末の遊休モード状態切替を命令できる［Ｓ２２］。この時、基地局は、移動端末が登録解除命令メッセージ受信に失敗する場合に備えて管理資源維持タイマー（Ｍａｎａｇｅｍｅｎｔ  Ｒｅｓｏｕｒｃｅ  Ｈｏｌｄｉｎｇ  Ｔｉｍｅｒ）を動作させ、一定時間、連結識別子などを含む当該移動端末の情報を維持することができる。
【００３０】
基地局から登録解除命令メッセージを受信した移動端末は、遊休モード状態に切り替わる［Ｓ２３］。
【００３１】
しかし、移動端末が遊休モードに切り替わる過程で、アップリンクまたはダウンリンクトラフィックなどが発生すると、基地局は移動端末の遊休モード切替要請を拒絶したり移動端末の遊休モード切替を取り消さなければならない。
【００３２】
以下では、遊休モードの切替を拒絶したり取り消すことと関連した過程について詳細に説明する。
【００３３】
図３は、移動端末の遊休モード切替要請を基地局が拒絶する一実施例を示す図である。
【００３４】
図３を参照すると、移動端末は、基地局に‘０１’と設定した動作コードを含む登録解除要請メッセージ（ＤＲＥＧ−ＲＥＱ）を伝達することによって移動端末の遊休モードへの切替を要請することができる［Ｓ３１］。
【００３５】
この基地局が当該移動端末から登録解除要請メッセージを受信した後に、この基地局から当該移動端末に転送すべきダウンリンクトラフィックが発生したなどの理由から、当該移動端末の遊休モード要請を拒絶すべき場合があり得る［Ｓ３２］。
【００３６】
この時、基地局は、移動端末にその遊休モード切替要請を拒絶することと指示する動作コードが設定された登録解除命令メッセージ（ＤＲＥＧ−ＣＭＤ）を転送することによって、移動端末が正常動作状態を維持するように命令することができる［Ｓ３３］。本実施例で動作コードは、好ましくは８ビットの大きさを持つことができる。
【００３７】
表７に、上記の基地局が移動端末の遊休モード切替要請を拒絶するための登録解除命令メッセージに含まれる動作コードとして新しく定義された例を示す。表７の動作コードは、移動端末が要請した遊休モードへの切替に対する拒絶の理由を定義する。すなわち、基地局から移動端末に転送される登録解除命令メッセージ（ＤＲＥＧ−ＣＭＤ）に含まれる動作コードが‘０８’であれば、基地局が移動端末の遊休モード切替要請を拒絶するという意味となる。
【００３８】
【表７】
2009540660.tif 000009
基地局から、移動端末の遊休モード切替要請を拒絶し、正常動作状態維持を指示する登録解除命令メッセージを受信した移動端末は、正常動作状態を維持する［Ｓ３４］。したがって、基地局は正常動作状態にある移動端末にダウンリンク（ＤＬ）トラフィックを転送することができる［Ｓ３５］。
【００３９】
図４は、移動端末の遊休モード切替要請を基地局が拒絶する他の実施例を示す図である。
【００４０】
図４を参照すると、移動端末は基地局に‘０１’と設定した動作コードを含む登録解除要請メッセージ（ＤＲＥＧ−ＲＥＱ）を伝達することによって移動端末の遊休モードへの切替を要請することができる［Ｓ４１］。
【００４１】
基地局が移動端末から登録解除要請メッセージを受信したがその応答をもする前に基地局から移動端末に転送するダウンリンクトラフィックが発生することができる。この場合、基地局は移動端末の遊休モード切替要請を拒絶することができる［Ｓ４２］。
【００４２】
この時、基地局は移動端末にその遊休モード要請に対して拒絶を表示できる動作コードが設定された登録解除命令メッセージ（ＤＲＥＧ−ＣＭＤ）を転送することによって、移動端末が正常動作状態を維持するように命令することができる［Ｓ４３］。
【００４３】
表８に、登録解除命令メッセージに含まれた変形された動作コードの一例を示す。
【００４４】
表８で、動作コード‘０３’が、動作コード‘０１’を含む登録解除要請メッセージに対する応答として転送されると、これは基地局の移動端末の遊休モード切替要請を拒絶するという意味を表す。
【００４５】
【表８】
2009540660.tif 000010
基地局から正常動作状態維持を指示する登録解除命令メッセージを受信した移動端末は、正常動作状態を維持する［Ｓ４４］。以降、基地局は正常動作状態にある該移動端末にダウンリンク（ＤＬ）トラフィックの転送を行うことができる［Ｓ４５］。
【００４６】
図５は、移動端末の遊休モード切替要請を基地局が拒絶するさらに他の実施例を示す図である。
【００４７】
図５を参照すると、移動端末は基地局に‘０１’と設定した動作コードを含む登録解除要請メッセージ（ＤＲＥＧ−ＲＥＱ）を転送することによって、移動端末の遊休モードへの切替を要請することができる［Ｓ５１］。
【００４８】
基地局が移動端末から登録解除要請メッセージを受信した後に、基地局で移動端末の遊休モード開始または切替に対する許諾を妨害するイベントが発生することができる。このイベントは、当該移動端末が正常動作を維持するように要請するダウンリンクトラフィックの存在を含むことができ、したがって、基地局は移動端末の遊休モード要請を拒絶することができる［Ｓ５２］。
【００４９】
この時、基地局は移動端末にその遊休モード要請に対して拒絶を表示できる表９のようなメッセージパラメータが含まれた登録解除命令メッセージ（ＤＲＥＧ−ＣＭＤ）を転送することによって、移動端末が正常動作状態を維持するように命令することができる［Ｓ５３］。
【００５０】
表９は、基地局が移動端末の遊休モード切替要請を拒絶するための登録解除命令メッセージに含まれるメッセージパラメータの一例である。
【００５１】
【表９】
2009540660.tif 000011
基地局から正常動作状態維持を指示する登録解除命令メッセージを受信した移動端末は、正常動作状態を維持する［Ｓ５４］。その後、基地局は正常動作状態にある移動端末にダウンリンク（ＤＬ）トラフィックの転送を行うことができる［Ｓ５５］。
【００５２】
図６は、移動端末が基地局に遊休モードへの切替を要請したが、該移動端末が遊休モード切替要請を取り消す一実施例を示す図である。
【００５３】
図６を参照すると、移動端末は、基地局に‘０１’と設定した動作コードを含む登録解除要請メッセージ（ＤＲＥＧ−ＲＥＱ）を伝達することによって移動端末の遊休モード切替を要請することができる［Ｓ６１］。
【００５４】
移動端末が基地局に登録解除要請メッセージを転送した後に、基地局に転送すべきアップリンク（ＵＬ）トラフィックが発生するこどかでき、この場合、移動端末はアップリンクデータを転送するために遊休モード切替要請を取り消す必要がある［Ｓ６２］。
【００５５】
一方、移動端末から遊休モード要請を表す登録解除要請メッセージを受信した基地局は、遊休モード切替を命令する登録解除命令メッセージ（動作コード‘０５’）を当該移動端末に転送することができる［Ｓ６３］。この場合に、基地局は、遊休モード切替過程で移動端末が管理資源を解除せずに維持せねばならない時間に関する情報である管理資源維持時間情報（Ｍａｎａｇｅｍｅｎｔ  Ｒｅｓｏｕｒｃｅ  Ｈｏｌｄｉｎｇ  Ｔｉｍｅ）を、移動端末に転送できる。基地局は、管理資源維持時間情報の含まれた登録解除命令メッセージを転送した後に、管理資源維持時間をカウンティングするためのタイマー（Ｔ１）を動作させる［Ｓ６４］。
【００５６】
表１０は、上記の管理資源維持時間情報を表すパラメータの一例である。
【００５７】
【表１０】
2009540660.tif 000012
移動端末は、基地局から登録解除命令メッセージを受信した後に、遊休モード切替の取消を要請する表１１のような登録解除要請メッセージを基地局に転送することによって、遊休モード切替取消を要請することができる［Ｓ６５］。移動端末は、正常動作を維持する間にアップリンクトラフィックを転送するためにこのような要請を作ったわけである。
【００５８】
【表１１】
2009540660.tif 000013
遊休モードへの切替を取り消すことを指示する登録解除要請メッセージを受信した基地局は、移動端末の管理資源が維持される間に移動端末の動作情報（ＭＳ  ｏｐｅｒａｔｉｏｎａｌ  ｉｎｆｏｒｍａｔｉｏｎ）を回復し［Ｓ６５］、移動端末の正常動作状態切替を命令する登録解除命令メッセージを転送することによって、移動端末が正常動作状態を維持できるようにする［Ｓ６７］。
【００５９】
基地局から正常動作状態切替を命令する登録解除命令メッセージを受信した移動端末は、基地局へのアップリンクトラフィック転送を行うことができる［Ｓ６８］。
【００６０】
図７は、基地局の遊休モード切替要請を移動端末が拒絶する一実施例を示す図である。
【００６１】
図７を参照すると、基地局は移動端末に‘０５’と設定した動作コードを含む登録解除命令メッセージ（ＤＲＥＧ−ＣＤＭ）を伝達することによって移動端末の遊休モード切替を要請することができる［Ｓ７１］。
【００６２】
ここで、ＤＲＥＧ−ＣＭＤメッセージは、移動端末が遊休モード切替を要請しなかったにもかかわらず、基地局から遊休モード切替を命令する、要請されていない（Ｕｎ−ｓｏｌｉｃｉｔｅｄ）メッセージである。なお、基地局は、表１０のような遊休モード切替過程で移動端末に対する管理資源を維持する時間情報を移動端末に伝達することができる。基地局は登録解除命令メッセージを転送した後、直ちに移動端末の管理資源維持時間をカウンティングするためのタイマー（Ｔ２）を動作させる［Ｓ７２］。
【００６３】
登録解除命令メッセージを受信した移動端末が遊休モードに進入する前に、基地局に転送するアップリンクトラフィックが現れたり発生することができる［Ｓ７３］。
【００６４】
この場合に、移動端末は遊休モード切替要請拒絶を指示するために表１１のような登録解除要請メッセージを基地局に転送できる［Ｓ７４］。
【００６５】
基地局は、遊休モード切替を拒絶する移動端末から登録解除要請メッセージを受信した後に、移動端末の管理資源が維持される間に移動端末に対する動作情報を回復（または維持）することができる［Ｓ７５］。この時、たとえ基地局が動作情報を維持するとしても、基地局は状態変更と見なされるから、動作情報を回復することと解釈すれば良い。
【００６６】
遊休モード切替を拒絶する移動端末から登録解除要請メッセージを受信した後に、基地局は登録解除命令（ＤＲＥＧ−ＣＭＤ）メッセージを通じて移動端末が正常動作状態を維持するように許諾したり維持するようにすることができる。この時、ＤＲＥＧ−ＣＭＤメッセージは、移動端末が正常モードに復帰したり、正常モードを維持することを指示する動作コード（‘０３’と設定される）を含むことができる［Ｓ７６］。
【００６７】
Ｓ７６段階で基地局から登録解除命令メッセージを受信した移動端末は、基地局にアップリンクトラフィックを転送することができる［Ｓ７７］。
【００６８】
図８は、基地局が移動端末に遊休モードに切り替わるように命令する管理メッセージを転送した後にこれを取り消す一実施例を示す図である。
【００６９】
図８を参照すると、基地局は移動端末に‘０５’と設定した動作コードを含む登録解除要請メッセージ（ＤＲＥＧ−ＲＥＱ）を伝達することによって移動端末の遊休モード切替を要請することができる［Ｓ８１］。この時、ＤＲＥＧ−ＣＭＤメッセージは、要請されていない（Ｕｎ−ｓｏｌｉｃｉｔｅｄ）メッセージである。なお、基地局は、遊休モード切替過程で移動端末の管理資源が維持される表１０のような時間情報を移動端末に伝達する。基地局は、登録解除命令メッセージを転送した直後に、移動端末の管理資源維持時間をカウンティングするためのタイマー（Ｔ２）を動作させる［Ｓ８２］。
【００７０】
基地局から管理資源の維持される時間情報が含まれた登録解除命令メッセージを受信した移動端末は、移動端末の管理資源維持時間をカウンティングするためのタイマー（Ｔ３）を動作させる［Ｓ８３］。
【００７１】
ただし、基地局がＤＲＥＧ−ＣＭＤメッセージを移動端末に転送した後に、且つＴ２タイマーが動作しＴ３タイマーが満了する前に、基地局から移動局に転送するダウンリンクデータが発生することができる［Ｓ８４］。
【００７２】
このような場合に、移動端末は、ＤＲＥＧ−ＣＭＤメッセージが成功的に受信されたことを表す動作コード（例えば、‘０２’）を含む登録解除要請（ＤＲＥＧ−ＲＥＱ）メッセージを転送することができる［Ｓ８５］。
【００７３】
しかし、動作コード‘０２’を含むＤＲＥＧ−ＲＥＱメッセージにもかかわらず、基地局は、割り当てるべきダウンリンクトラフィックを持っているため、‘０３’と設定された動作コードを含むＤＲＥＧ−ＣＭＤメッセージを転送し、これによって、移動端末が正常動作モードに切り替わる（または、正常動作モードを維持する）ようにすることができる。動作コード‘０３’は、移動端末の正常動作への切替を指示する［Ｓ８６］。
【００７４】
基地局から正常動作切替を指示するように設定された動作コードを含む登録解除命令メッセージを受信した後に、移動端末は正常動作モードに切り替わる（または、正常動作モードを維持する）ことができる［Ｓ８７］。
【００７５】
以降、移動端末は、正常動作への切替または維持を指示するように設定された動作コード（例えば、‘０３’）を含む登録解除要請メッセージを基地局に転送することができる［Ｓ８８］。
【００７６】
移動端末から正常動作切替の完了を表すＤＲＥＧ−ＲＥＱメッセージを受信した基地局は、ダウンリンクトラフィックを移動端末に転送することができる［Ｓ８９］。
【００７７】
ただし、上述したような図８の実施例で、基地局が登録解除命令メッセージを通じて移動端末の管理資源維持タイマー設定情報を移動端末に伝達せずにも、移動端末の遊休モード切替命令を取り消すことができる。例えば、基地局は、移動端末から登録解除命令メッセージ受信に対する受信肯定応答（ＡＣＫ：ａｃｋｎｏｗｌｅｄｇｅ）の用途のために伝達される登録解除要請メッセージを受信する前に、遊休モード切替を表す動作コードが含まれた登録解除命令メッセージを移動端末に転送することによって、移動端末の遊休モード切替命令を取り消すことができる。
【００７８】
この場合、移動端末が、遊休モード切替命令を表す動作コードが設定された登録解除命令メッセージと、遊休モード切替取消を表す動作コードが設定された登録解除命令メッセージを受信することができ、また、遊休モード取消を表す動作コードが設定された登録解除要請メッセージを基地局に転送することができる。これにより、移動端末は、遊休モードに切り替わることなく正常動作状態を維持するということを基地局に知らせることができる。該移動端末から遊休モード取消を表す動作コードが含まれた登録解除要請メッセージを受信した基地局は、当該移動端末にダウンリンクトラフィックを転送することができる。
【００７９】
したがって、本発明は、移動端末から要請された遊休モード開始を基地局で拒絶する方法、及び移動端末が遊休モード開始を取り消す方法を提供することによって、移動端末の遊休モード開始過程でアップリンク／ダウンリンクトラフィックの発生によって正常モードで動作する必要が発生する場合、移動端末が直ちに正常モード状態を開始するようにすることができる。
【００８０】
図９は、移動端末の一実施例を示す図である。
【００８１】
図９を参照すると、移動端末は、少なくとも一つのアンテナ及び少なくとも一つのマイクロプロセッサ（Ｍｉｃｒｏｐｒｏｃｅｓｓｏｒ）を含むことができる。少なくとも一つのアンテナは、基地局から登録解除命令（ＤＲＥＧ−ＣＭＤ）メッセージを受信するために使われることができる。ＤＲＥＧ−ＣＤＭメッセージは、移動端末が基地局から解除され、遊休モードを開始することを指示する動作コード（例えば、‘０５’）を含むことができる。
【００８２】
上述の如く、基地局からＤＲＥＧ−ＣＭＤメッセージを受信した後に、移動端末が遊休モードに進入するのを妨害するアップリンクトラフィックが発生することができる。このような場合に、移動端末のマイクロプロセッサは、基地局に転送するアップリンクトラフィックの有無を判断できる。もし、移動端末にアップリンクトラフィックが存在しないと、移動端末は直ちに遊休モードに進入するとができる。
【００８３】
もし、移動端末にアップリンクトラフィックが存在すると、移動端末は、基地局が命令した遊休モード進入を拒絶する登録解除要請（ＤＲＥＧ−ＲＥＱ）メッセージを、少なくとも一つのアンテナを通じて基地局に転送することができる。登録解除要請メッセージには、移動端末が遊休モードを開始しないということを表す動作コードが含まれることができる。
【００８４】
本発明は、本発明の精神及び必須特徴を逸脱しない範囲で様々な特定の形態に具体化できるということは、当業者にとっては自明である。したがって、上記の詳細な説明は、全ての面において制約的に解釈されてはいけず、例示的なものとして考慮されるべきである。したがって、本発明の範囲は、添付した特許請求の範囲の合理的解釈により決定されなければならなく、その等価的範囲内における変更はいずれも本発明の範囲に含まれる。
【図１】
2009540660.tif 000014
【図２】
2009540660.tif 000015
【図３】
2009540660.tif 000016
【図４】
2009540660.tif 000017
【図５】
2009540660.tif 000018
【図６】
2009540660.tif 000019
【図７】
2009540660.tif 000020
【図８】
2009540660.tif 000021
【図９】
2009540660.tif 000022
【国際調査報告】
2009540660.tif 000023
2009540660.tif 000024
2009540660.tif 000025